(57)【要約】      （修正有）【課題】ブラシヘッドの延長が可能な歯ブラシ構造を提供する。【解決手段】歯ブラシ構造は、歯ブラシ本体１にスライド溝１４を設け、スライド溝１４中に１組の可動歯ブラシ２を設置し、可動歯ブラシ２はスライドロッド２２及びスライドロッド２２が連動する可動ブラシヘッド２３で構成し、カバーユニット３によりスライド溝１４に閉成し、可動歯ブラシ２をスライド溝１４内でスライドするように制限し、使用時には可動歯ブラシ２を突出させるのみで、可動ブラシヘッド２が角度を変化させて口腔、歯面を清掃し、歯ブラシのブラシヘッド１３が口腔内の骨格の影響を受けずに口内全てを清掃する効果を達成する。【選択図】図２
0003229399.tif 000002
【実用新案登録請求の範囲】
【請求項１】
歯ブラシ本体と、可動歯ブラシと、カバーユニットと、を備えるブラシヘッドの延長が可能な歯ブラシ構造であって、
前記歯ブラシ本体は順に把持部と、連接ネックと、固定ブラシヘッドと、を含み、前記把持部及び前記連接ネックを連接し、前記連接ネックは前記把持部及び前記固定ブラシヘッドを連接するために用い、前記固定ブラシヘッドには間隔を空けて配列する複数の植毛穴を設け、これら前記植毛穴内には毛束を植設し、且つ前記固定ブラシヘッドの中央部から前記把持部の方向にスライド溝を設け、
前記可動歯ブラシは前記スライド溝に装設し、且つ前記スライド溝で線形にスライドし、前記可動歯ブラシは順に操作スイッチと、スライドロッドと、可動ブラシヘッドと、を有し、
前記操作スイッチは前記スライドロッドの一端に設置し、前記可動ブラシヘッドは前記操作スイッチに対する前記スライドロッドの他端に設置し、前記可動ブラシヘッドには複数の植毛穴を設け、これら前記植毛穴内には毛束を植設し、前記スライドロッドは前記スライド溝内にスライドするように構設し、
前記カバーユニットは前記スライド溝を閉成し、前記可動歯ブラシの前記スライド溝内でのスライドを制限することを特徴とするブラシヘッドの延長が可能な歯ブラシ構造。
【請求項２】
前記歯ブラシ本体の把持部には少なくとも１つ以上の滑り止め面を設けることを特徴とする請求項１に記載のブラシヘッドの延長が可能な歯ブラシ構造。
【請求項３】
前記連接ネックの高さは前記把持部及び前記固定ブラシヘッドより低く、前記連接ネックの両端に停止面を形成し、前記可動歯ブラシの前記スライド溝内でのスライドを制限することを特徴とする請求項１に記載のブラシヘッドの延長が可能な歯ブラシ構造。
【請求項４】
前記可動歯ブラシは前記可動ブラシヘッドに対する後側に係止点を設け、前記係止点は前記停止面と係止し、前記可動ブラシヘッドを位置止めすることを特徴とする請求項２に記載のブラシヘッドの延長が可能な歯ブラシ構造。
【請求項５】
前記操作スイッチと前記スライドロッドとの間には接続部を設け、前記カバーユニットには複数の位置決め部及びガイドスロットを設け、前記ガイドスロットは前記接続部を線形にスライドさせ、且つこれら前記位置決め部により前記接続部を係止して位置決めし、前記可動歯ブラシを所定の距離で延出させると共に後退縮退動作を発生させないことを特徴とする請求項１に記載のブラシヘッドの延長が可能な歯ブラシ構造。
【請求項６】
前記スライドロッドの一側には少なくとも１つ以上の補強リブを設けていることを特徴とする請求項１に記載のブラシヘッドの延長が可能な歯ブラシ構造。
【請求項７】
前記歯ブラシ本体及び前記カバーユニットは高周波処理により前記歯ブラシ本体及び前記カバーユニットを結合することを特徴とする請求項１に記載のブラシヘッドの延長が可能な歯ブラシ構造。
【請求項８】
前記歯ブラシ本体及び前記カバーユニットは接着剤により前記歯ブラシ本体及び前記カバーユニットを結合することを特徴とする請求項１に記載のブラシヘッドの延長が可能な歯ブラシ構造。
【請求項９】
前記歯ブラシ本体及び前記カバーユニットは突合せ継手の蟻継ぎ構造により接合することを特徴とする請求項１に記載のブラシヘッドの延長が可能な歯ブラシ構造。
【考案の詳細な説明】
【技術分野】
【０００１】
本考案は、歯ブラシ構造に関し、より詳しくは、前記歯ブラシの柄にブラシヘッドを押すための１組の操作スイッチを設け、歯ブラシ本体を延出するための可動歯ブラシを更に設置し、ブラシヘッドを口腔内に挿入して歯を清掃し、歯茎をマッサージし、歯面を清掃する効果を有するブラシヘッドの延長が可能な歯ブラシ構造に関する。
【背景技術】
【０００２】
従来のよくある歯ブラシは、柄の前側のブラシヘッド面に間隔を空けて配列する複数の毛束を植設し、且つ毛束は平ら或いは高低の起伏がある波型を呈し、柄の反対側の把柄箇所を把持する。毛束の端面に歯磨き粉をつけ、ブラシヘッドを口内に挿入し、毛束で歯の表面を磨く。歯磨き粉の成分により歯を健康に保ち、歯茎をマッサージするほか、毛束が歯間に挟まった食物の残りかすを掻き出して歯面を清洗し、歯が傷付くのを防止する。
【考案の概要】
【考案が解決しようとする課題】
【０００３】
しかしながら、従来の歯ブラシの毛束は複数で柄の前側のブラシヘッド面に間隔を空けて配列するように植設し、前記端面は全て柄に固定する。内部の歯面を縦方向に磨く場合、噛み合わせる際に接する箇所の骨の構造に阻害されるため、口内に完全に挿入して歯面を磨くことができない点が歯を保護する上での懸念材料であった。
【０００４】
また、大部分の歯ブラシは親知らずを清掃できず、食物の残りかすが親知らずに残って虫歯になる危険性があった。また、親知らずと第二大臼歯は隣り合うため、親知らずを清潔に保たなければ第二大臼歯にも影響を及す上、歯周病等を引き起こす可能性があった。
【０００５】
そこで、本考案者は上記の欠点が改善可能と考え、鋭意検討を重ねた結果、合理的設計で上記の課題を効果的に改善する本考案の提案に到った。
【０００６】
本考案は、以上の従来技術の課題を解決する為になされたものである。即ち、本考案の主な目的は、ブラシヘッドの延長が可能な歯ブラシ構造を提供する。歯ブラシの本体にスライド溝を設け、スライド溝中に１組の可動歯ブラシを設置する。前記可動歯ブラシはスライドロッド及びスライドロッドにより連動される可動ブラシヘッドで構成する。カバーユニットにより前記スライド溝に閉成し、前記可動歯ブラシをスライド溝内でスライドするように制限する。使用時には可動歯ブラシを突出させるのみで、可動ブラシヘッドが角度を変化させて口腔及び歯面を清掃し、歯ブラシのブラシヘッドが口腔内の骨格の影響を受けずに口内全てを清掃する効果を達成する。
【０００７】
本考案の他の目的は、ブラシヘッドの延長が可能な歯ブラシ構造を提供する。前記可動歯ブラシには補強構造を設置し、口腔及び歯面を清掃する際に過度に変形しないようにし、本考案の耐用年数を延ばす。
【０００８】
本考案のさらなる他の目的は、ブラシヘッドの延長が可能な歯ブラシ構造を提供する。可動歯ブラシを交換可能にし、使用していくうちに毛束が変形した場合、可動歯ブラシを交換するのみでよくなり、歯ブラシを購入するコストを節約するのみならず、ごみの量を減らすことで環境を保護する。
【０００９】
本考案の又別の目的は、ブラシヘッドの延長が可能な歯ブラシ構造を提供する。前記可動歯ブラシとカバーユニットとの間は位置決め溝の設計により可動歯ブラシを押動した後に位置決めし、使用者が歯を清掃する際に歯面及び歯間を全面的に清掃可能にし、虫歯を予防する。
【課題を解決するための手段】
【００１０】
上記課題を解決するために、本考案のある態様のブラシヘッドの延長が可能な歯ブラシ構造は、歯ブラシ本体と、可動歯ブラシと、カバーユニットと、を備えている。前記歯ブラシ本体は順に把持部と、連接ネックと、固定ブラシヘッドと、を含む。使用者が把持可能にするために前記把持部及び前記連接ネックを連接し、前記連接ネックは前記把持部及び前記固定ブラシヘッドを連接するために用いる。前記固定ブラシヘッドには間隔を空けて配列する複数の植毛穴を設け、これら前記植毛穴内には毛束を植設し、且つ前記固定ブラシヘッドの中央部から前記把持部の方向にスライド溝を設けている。前記可動歯ブラシは前記スライド溝に装設し、且つ前記スライド溝で線形スライドする。前記可動歯ブラシは順に操作スイッチと、スライドロッドと、可動ブラシヘッドと、を有し、前記操作スイッチは前記スライドロッドの一端の上方に設置し、前記可動ブラシヘッドは前記操作スイッチに対する前記スライドロッドの他端に設置する。前記可動ブラシヘッドには複数の植毛穴を設け、これら前記植毛穴内には毛束を植設し、前記スライドロッドは前記スライド溝内にスライドするように構設する。前記カバーユニットは前記スライド溝に閉成し、前記可動歯ブラシを前記スライド溝内でスライドするように制限する。使用時には前記操作スイッチにより前記可動歯ブラシを前記歯ブラシ本体から突出させることで、前記可動ブラシヘッドが角度を変化させて口腔、歯面を清掃する。
【００１１】
本考案の好適例において、前記歯ブラシ本体の把持部には少なくとも１つ以上の滑り止め面を設ける。
【００１２】
本考案の好適例において、前記連接ネックの高さは前記把持部及び前記固定ブラシヘッドよりやや低く、前記連接ネックの両端に停止面を形成し、前記可動歯ブラシを前記スライド溝内でスライドするように制限する。
【００１３】
本考案の好適例において、前記可動歯ブラシは前記可動ブラシヘッドに対する後側に係止点を設け、前記係止点は前記停止面と係止し位置止めする。
【００１４】
本考案の好適例において、前記操作スイッチと前記スライドロッドとの間には接続部を設け、前記カバーユニットには複数の位置決め部及びガイドスロットを設けている。前記ガイドスロットは前記接続部を線形スライドさせ、且つこれら前記位置決め部により前記接続部を係止して位置決めし、前記可動歯ブラシを所定の距離で延出させると共に後退縮退動作を発生させない。
【００１５】
本考案の好適例において、前記スライドロッドの一側には少なくとも１つ以上の補強リブを設けている。
【００１６】
本考案の好適例において、前記歯ブラシ本体及び前記カバーユニットは高周波処理により前記歯ブラシ本体及び前記カバーユニットを結合する。
【００１７】
本考案の好適例において、前記歯ブラシ本体及び前記カバーユニットは接着剤により前記歯ブラシ本体及び前記カバーユニットを結合する。
【００１８】
本考案の好適例において、前記歯ブラシ本体及び前記カバーユニットは突合せ継手の蟻継ぎ構造により接合する。
【考案の効果】
【００１９】
本考案によれば、次のような効果がある。
【００２０】
１．可動歯ブラシが前記歯ブラシ本体から突出する設計により、固定ブラシヘッド及び可動ブラシヘッドの角度を変化させることで口腔及び歯面を効果的に清掃可能にする。また、本考案の角度が変化する設計により、歯ブラシが口腔内の骨格構造の影響を受けずに歯面を清掃可能にする。
【００２１】
２．可動歯ブラシと固定ブラシヘッドとの間の位置を変化させることで、使用者が使用時に歯面及び歯間を全面的に清掃可能になり、歯茎をマッサージし、虫歯を予防する。
【００２２】
３．本考案のある実施形態では、カバーユニットが取り外し可能であり、可動歯ブラシを交換可能である。使用していくうちに毛束が変形した場合、可動歯ブラシを交換するのみでよく、歯ブラシを購入するコストを節約し、ごみの量も減らして環境を保護する。
【００２３】
４．本考案は成人や幼児でも使用でき、正確な歯磨き方法と組み合わせることで歯面及び歯間を全面的に清掃し、虫歯を予防する。
【図面の簡単な説明】
【００２４】
【図１】本考案実施形態に係る歯ブラシ構造の例を示す外観斜視図である。
【図２】本考案実施形態に係る歯ブラシ構造の例を示す斜視分解図である。
【図３】図２のＡ部分拡大斜視図である。
【図４】図２のＢ部分拡大斜視図である。
【図５】図２のＣ部分の別の方向からの拡大斜視図である。
【図６】本考案実施形態に係る歯ブラシ構造の例を示す正面図である。
【図７】図６のＤ-Ｄ部分断面図である。
【図８】本考案実施形態の使用状態を示す図である。
【図９】図８のE-E部分断面図である。
【図１０】本考案実施形態が幼児の歯ブラシの構造に適用される斜視図である。
【考案を実施するための形態】
【００２５】
本明細書及び図面の記載により、少なくとも、以下の事項が明らかとなる。
【００２６】
以下、図1〜図１０を参照しつつ、本考案に係るブラシヘッドの延長が可能な歯ブラシ構造について具体的に説明する。なお、本考案は、以下に説明する実施形態に限定されるものではない。
【００２７】
本考案に係るブラシヘッドの延長が可能な歯ブラシ構造は、歯ブラシ本体１と、可動歯ブラシ２と、カバーユニット３と、を備えている（図１と図２参照）。
【００２８】
図１、図２、図６と図８に示されるように、歯ブラシ本体１は下から順に把持部１１と、連接ネック１２と、固定ブラシヘッド１３と、を備え、使用者が把持可能にするために把持部１１及び連接ネック１２を連接する。連接ネック１２は把持部１１及び固定ブラシヘッド１３を連接するために用い、固定ブラシヘッド１３には間隔を空けて配列する複数の植毛穴１５を設け、これら植毛穴１５内には毛束１６を植設する。固定ブラシヘッド１３の中央部から連接ネック１２に亘って把持部１１の方向Ｙにスライド溝１４を設け、歯ブラシ本体１の把持部１１には少なくとも１つ以上の滑り止め面１１１を設けている。理解を容易にするため、図２〜図９では毛束を省略し、本考案の構造の特徴を表示する。
【００２９】
図１〜図９に示されるように、可動歯ブラシ２はスライド溝１４に装設し、且つスライド溝１４に対して線形にスライドする。可動歯ブラシ２は下から順に操作スイッチ２１と、スライドロッド２２と、可動ブラシヘッド２３と、を備えている。操作スイッチ２１はスライドロッド２２の一端（下端）に設置し、可動ブラシヘッド２３は操作スイッチ２１に対するスライドロッド２２の他端（上端）に設置する。可動ブラシヘッド２３には複数の植毛穴２５を設け、これら植毛穴２５内には毛束１６を植設する。スライドロッド２２はスライド溝１４内に構設し、可動歯ブラシ２がスライド溝１４内でスライドする。耐用年数を延長するため、スライドロッド２２の一側には少なくとも１つ以上の補強リブ２２１を設けている。
【００３０】
図２〜図９に示されるように、連接ネック１２の高さは把持部１１及び固定ブラシヘッド１３よりやや低く、連接ネック１２の両端に停止面１２１、１２２を形成し（図４参照）、可動歯ブラシ２のスライド溝１４内でのスライドを制限する。可動歯ブラシ２の停止能力を強化するため、可動歯ブラシ２は可動ブラシヘッド２３に対する後側に係止点２４（図２、図３、図７参照）を設け、係止点２４は停止面１２１、１２２と係止し可動歯ブラシ２を位置止めする。
【００３１】
図１、図２、図６〜図９に示されるように、カバーユニット３はスライド溝１４に閉成し、可動歯ブラシ２のスライド溝１４内でのスライドを制限する。図１、図２、図５〜図８に示されるように、操作スイッチ２１とスライドロッド２２との間には接続部２１１を設け（図５参照）、カバーユニット３には複数の位置決め部３１及びガイドスロット３２を設けている。ガイドスロット３２は接続部２１１（図５、図７参照）を線形にスライドさせ、且つこれら位置決め部３１（図２参照）により接続部２１１を係止して位置決めし、可動歯ブラシ２を所定の距離で方向Ｙの上方向に延出させると共に後退縮退動作を発生させない。
【００３２】
ちなみに、歯ブラシ本体１及びカバーユニット３は高周波処理により歯ブラシ本体１及びカバーユニット３を結合する。但し、ある実施方式では、接着剤を用いた結合方式を採用する。或いは、歯ブラシ本体１及びカバーユニット３を突合せ継手の蟻継ぎ構造（図示省略）により接合する。
【００３３】
図６〜図９に示されるように、使用時には、操作スイッチ２１を使用して可動歯ブラシ２を歯ブラシ本体１から突出させ、可動ブラシヘッド２３が角度を変化させて口腔及び歯面を清掃する。
【００３４】
図１〜図９の構造は成人が使用する歯ブラシに適用し、図１０は幼児が使用する歯ブラシに適用する。
【００３５】
上記説明は、本考案を説明するためのものであって、実用新案登録請求の範囲に記載の発明を限定し、或いは範囲を限縮するように解すべきではない。また、本考案の各部構成は、上記実施例に限らず、実用新案登録請求の範囲に記載の技術的範囲内で種々の変形が可能であることは勿論である。
【符号の説明】
【００３６】
１  歯ブラシ本体
１１  把持部
１１１  滑り止め面
１２  連接ネック
１２１  停止面
１２２  停止面
１３  固定ブラシヘッド
１４  スライド溝
１５  植毛穴
１６  毛束
２  可動歯ブラシ
２１  操作スイッチ
２１１  接続部
２２  スライドロッド
２２１  補強リブ
２３  可動ブラシヘッド
２４  係止点
３  カバーユニット
３１  位置決め部
３２  ガイドスロット
【図１】
0003229399.tif 000003
【図２】
0003229399.tif 000004
【図３】
0003229399.tif 000005
【図４】
0003229399.tif 000006
【図５】
0003229399.tif 000007
【図６】
0003229399.tif 000008
【図７】
0003229399.tif 000009
【図８】
0003229399.tif 000010
【図９】
0003229399.tif 000011
【図１０】
0003229399.tif 000012
【手続補正書】
【提出日】令和2年9月17日(2020.9.17)
【手続補正１】
【補正対象書類名】実用新案登録請求の範囲
【補正対象項目名】請求項４
【補正方法】変更
【補正の内容】
【請求項４】
前記可動歯ブラシは前記可動ブラシヘッドに対する後側に係止点を設け、前記係止点は前記停止面と係止し、前記可動ブラシヘッドを位置止めすることを特徴とする請求項３に記載のブラシヘッドの延長が可能な歯ブラシ構造。